(57)【特許請求の範囲】
【請求項１】
制御部に、電源の入り切りや強弱運転の運転モードを設定する操作部と、運転モード及び室内の汚れ表示を行う表示部と、室内の粉塵量を検出する粉塵センサと、送風ファンを駆動するファンモータの始動停止あるいは回転数を可変させる駆動部とを接続するとともに、花粉等の粒子による粉塵データを記憶した粉塵データ記憶部と、第一閾値及び第二閾値とを交互に設定する閾値設定部と、前記粉塵センサによる検出値を前記第一閾値あるいは前記第二閾値と比較する一方、前記粉塵センサに記憶された粉塵データと比較して、花粉の検出か否かを判定するデータ比較部とを接続してなり、
前記粉塵センサの検出値が前記第一閾値を越えた際、前記データ比較部が検出値と前記粉塵データ記憶部のデータを比較して花粉の検出か、電気的なノイズによるものかを判定し、電気的なノイズと判定された場合、前記閾値設定部に前記第一閾値より若干高い前記第二閾値を設定し、同第二閾値により運転モードを切換えることにより、電気的なノイズの影響を排除または軽減してなることを特徴とする空気清浄機の制御装置。
【請求項２】
前記粉塵データ記憶部に、花粉の粒子による検出値が一定時間内に検出される適正な検出回数の頻度と、その検出持続時間とを記憶してなることを特徴とする請求項１に記載の空気清浄機の制御装置。
【請求項３】
前記粉塵センサによる検出値が前記第一閾値を越えた際、同検出値が粉塵によるものか、電気的なノイズによるものかにかかわらず、前記駆動部は前記ファンモータを弱運転から強運転に一時的に切換え、検出値が電気的なノイズであると判定された場合、前記ファンモータを強運転から弱運転に再度切換えてなることを特徴とする請求項１に記載の空気清浄機の制御装置。
【請求項４】
前記第二閾値が、電気的なノイズの影響を受けないような前記第一閾値より若干高い粉塵濃度に設定されてなることを特徴とする請求項１に記載の空気清浄機の制御装置。
【請求項５】
前記データ比較部に、前記第二閾値を越える検出値が前記粉塵センサにより検出されない未検出持続時間を設定し、これを越えて検出されない際、前記閾値設定部に前記第一閾値が再度設定されてなることを特徴とする請求項１、請求項３または請求項４に記載の空気清浄機の制御装置。
【請求項６】
前記粉塵センサによる検出値が前記第一閾値を越えた際、前記表示部は、粉塵濃度の表示を切換えてなることを特徴とする請求項１に記載の空気清浄機の制御装置。
【発明の詳細な説明】
【０００１】
【発明の属する技術分野】
本発明は、空気清浄機の制御装置に係わり、より詳細には、制御装置内に生じる電気的なノイズと、粉塵センサとの出力を判定して、花粉等の微小な粉塵に対しても的確に応答できる構成に関する。
【０００２】
【従来の技術】
従来の空気清浄機は、例えば特開平８−１９６８４５号公報に開示されているように制御装置を構成し、微小な塵埃に対しても的確に応答できるようにしている。同制御装置は、図４（Ａ）のブロック図で示すように、マイクロコンピュータ３２のＡ端子にホコリセンサ３０の出力を直接接続する一方、同ホコリセンサ３０の出力を増幅器３１を介してＢ端子に接続している。また、前記マイクロコンピュータ３２には送風ファンを駆動するファンモータ３３の駆動回路が接続されるとともに、運転状態及び室内の汚れ程度を表示する表示部３４が接続されている。微小な塵埃が室内に浮遊し前記ホコリセンサ３０の出力が低い範囲では前記増幅器３１により増幅された出力が前記マイクロコンピュータ３２に入力され、同マイクロコンピュータ３２は、図４（Ｂ）のフローチャートで示すように、前記Ｂ端子での入力電圧の程度により、前記Ａ端子への入力電圧と前記Ｂ端子での入力電圧のいずれかを選定し、前記ファンモータ３３の強弱運転を決定するようにしている。
【０００３】
しかしながら、前記増幅器３１を介して前記Ｂ端子に入力された回路に電気的なノイズが混入した場合、前記マイクロコンピュータ３２に誤差の生じた電圧が入力されることとなり、これにより前記ファンモータ３３が不安定な強弱運転を繰り返す恐れがあった。
【０００４】
【発明が解決しようとする課題】
本発明は上記問題点に鑑み、粉塵センサと、ファンモータを駆動する駆動部とを接続した制御装置が、電気的なノイズの混入と前記粉塵センサの出力とを的確に判定できるようにして、花粉等の微小な塵埃に対しても精度良く応答できる空気清浄機を提供することを目的とする。
【０００５】
【課題を解決するための手段】
本発明は上記課題を解決するため、制御部に、電源の入り切りや強弱運転の運転モードを設定する操作部と、運転モード及び室内の汚れ表示を行う表示部と、室内の粉塵量を検出する粉塵センサと、送風ファンを駆動するファンモータの始動停止あるいは回転数を可変させる駆動部とを接続するとともに、花粉等の粒子による粉塵データを記憶した粉塵データ記憶部と、第一閾値及び第二閾値とを交互に設定する閾値設定部と、前記粉塵センサによる検出値を前記第一閾値あるいは前記第二閾値と比較する一方、前記粉塵センサに記憶された粉塵データと比較して、花粉の検出か否かを判定するデータ比較部とを接続してなり、
前記粉塵センサの検出値が前記第一閾値を越えた際、前記データ比較部が検出値と前記粉塵データ記憶部のデータを比較して花粉の検出か、電気的なノイズによるものかを判定し、電気的なノイズと判定された場合、前記閾値設定部に前記第一閾値より若干高い前記第二閾値を設定し、同第二閾値により運転モードを切換えることにより、電気的なノイズの影響を排除または軽減する構成となっている。
【０００６】
また、前記粉塵データ記憶部に、花粉の粒子による検出値が一定時間内に検出される適正な検出回数の頻度と、その検出持続時間とを記憶した構成となっている。
【０００７】
また、前記粉塵センサによる検出値が前記第一閾値を越えた際、同検出値が粉塵によるものか、電気的なノイズによるものかにかかわらず、前記駆動部は前記ファンモータを弱運転から強運転に一時的に切換え、検出値が電気的なノイズであると判定された場合、前記ファンモータを強運転から弱運転に再度切換える構成となっている。
【０００８】
また、前記第二閾値が、電気的なノイズの影響を受けないような前記第一閾値より若干高い粉塵濃度に設定された構成となっている。
【０００９】
また、前記データ比較部に、前記第二閾値を越える検出値が前記粉塵センサにより検出されない未検出持続時間を設定し、これを越えて検出されない際、前記閾値設定部に前記第一閾値が再度設定される構成となっている。
【００１０】
更に、前記粉塵センサによる検出値が前記第一閾値を越えた際、前記表示部は、粉塵濃度の表示を切換える構成となっている。
【００１１】
【発明の実施の形態】
以下、本発明の実施の形態を、添付図面に基づいた実施例として詳細に説明する。
図１（Ａ）は本発明による空気清浄機を示す外観斜視図であり、図２はその断面図である。図２は同空気清浄機の制御を示す要部ブロック図であり、図３はその制御手順を示すフローチャートである。
本発明による空気清浄機は、図１で示すように、縦長状に形成された本体の前面に吸込口１を、本体の上面に風向変更板を備えた吹出口を夫々設け、前面上部に、強弱運転等の運転状態と、室内の汚れ状態等を表示する表示部３を設けている。また、同表示部３には室内に浮遊する粉塵の量を検出する粉塵センサ９が設けられている。前記本体は、図１（Ｂ）の断面図で示すように、前記吸込口１の裏面に、吸込まれた空気に含まれる塵埃あるいは臭気を吸着する複数のフィルタ４を設け、その背面に、清浄化された空気を前記吹出口３から再び室内に送出する、ファンモータ６により駆動される送風ファン５を設けている。
【００１２】
図２は、制御装置の要部ブロック図である。同図で示すように、制御部７には、リモートコントローラからの信号を受け電源の入り切りや強弱運転等の運転モードを設定する操作部８と、運転モードの表示及び室内の汚れ表示等を行う前記表示部３と、室内の粉塵の量を検出する前記粉塵センサ９と、前記ファンモータ６に信号を送出して、同ファンモータ６の始動停止あるいは回転数を可変させる駆動部１５とが接続されている。また、花粉等の大粒の粒子が前記粉塵センサ９により検出された際、一定時間内に検出される適正な検出回数の頻度と、後述する閾値を越えた検出値の持続時間に対し、適正な持続時間を設定した粉塵データ記憶部１４と、前記粉塵センサ９の出力に対し前記ファンモータ６の強弱運転及び前記表示部３の表示を切換える第一閾値１１と、同第一閾値より２乃至３割程度高く設定された第二閾値１２とを夫々設けた閾値設定部１０と、前記粉塵センサ９で検出された検出値が、前記第一閾値１１あるいは前記第二閾値１２を越えるか否かを判定する一方、これら閾値を越える検出値の回数を一定時間内にカウントして、前記粉塵データ記憶部１４に記憶された値と比較するデータ比較部１３とが夫々接続されている。また同データ比較部１１には後述する未検出持続時間１６が設定されるようになっている。
【００１３】
一例として、前記第一閾値１１には微小な花粉量を検出できる粉塵濃度０．０１ｍｇ／立法メートルが設定され、前記第二閾値１２には、これより２割高い粉塵濃度０．０１２ｍｇ／立法メートルが設定されている。同第二閾値１２は後述する電気的なノイズの影響を受けない閾値として設定されている。尚、従来の空気清浄機においては、これらより約５倍程度高い０．０５ｍｇ／立法メートルが通常閾値として設定されている。また、前記粉塵データ記憶部１４には、通常の花粉検出時における検出頻度−１回／１分と、検出持続時間−５秒／１回が記憶されるとともに、前記粉塵センサ９及びこれを接続した前記制御部７等に発生する電気的なノイズの影響により、前記粉塵センサ９から前記制御部７に入力されるノイズ値の所定時間内における所定回数が記憶されている。同ノイズ値は、粉塵濃度０．０１ｍｇ／立法メートルに対応する前記粉塵センサ９の出力値約０．１ボルトであり、これが１分間の間に約１０回以上検出されると、前記粉塵センサ９での検出値は、花粉の検出によるものではなく、電気的なノイズの影響によるものであると前記データ比較部１３により判定されるようになっている。また前記データ比較部１３には、前記第二閾値１２を越えない検出値が持続する未検出持続時間（約１０分）が設定されている。
【００１４】
次に、制御手順について図３に基づいて説明する。図３のフローチャートで示すように、まず前記操作部８により自動運転がセットされ、（ＳＴＥＰ１）これにより前記ファンモータ６は弱運転を開始し，（ＳＴＥＰ２）また、前記閾値設定部１０には、前記第一閾値１１が設定される（ＳＴＥＰ３）。次に、前記粉塵センサ９で検出された検出値が前記制御部７に読み込まれる（ＳＴＥＰ４）。検出値は前記データ比較部１３により前記第一閾値１１と比較され（ＳＴＥＰ５）、非常に微小な数値として設定された前記第一閾値１１を上回る検出値がある場合は、室内に花粉が検出されたものとして前記送風ファン５は前記駆動部１５により一時的に弱運転から強運転に切換えられるようになっている（ＳＴＥＰ６）。また、前記表示部３の粉塵濃度表示も併せて切換えられるようになっている。続いて前記データ比較部１３は、一定時間内に前記第一閾値１１を上回る検出数をカウントする（ＳＴＥＰ７）。カウント数は、前記粉塵データ記憶部１４に記憶された記憶値（検出頻度−１０回／１分）と比較され（ＳＴＥＰ８）、これを上回る場合は、前記粉塵センサ９での検出値は電気的なノイズの影響であると前記データ比較部１３は判定し、前記駆動１５により前記送風ファン５を強運転から再び弱運転に切換えるとともに、（ＳＴＥＰ９）前記閾値設定部１０に、前記第一閾値１１より２割程度高い前記第二閾値１２を設定する（ＳＴＥＰ１０）。
【００１５】
前記閾値設定部１０に前記第二閾値１２が設定されると、再び前記粉塵センサ９の検出値が前記制御部７に読み込まれる（ＳＴＥＰ１１）。検出値は前記第二閾値１２と比較され（ＳＴＥＰ１２）、これを上回る場合は、花粉が検出されたものとして前記送風ファン５は弱運転から強運転に再び切換えられるようになっている（ＳＴＥＰ１３）。続いて前記データ比較部１３により、前記第二閾値１２を越える検出間隔が計測され（ＳＴＥＰ１４）、前記未検出持続時間１６に設定された約１０分間の間に検出値が前記第二閾値１２を越えない場合は、室内に花粉がないものとして、制御手順は前記ＳＴＥＰ２と前記ＳＴＥＰ３との間に戻り前記送風ファン５は強運転から弱運転に切換えられ、また前記閾値設定部１０には前記第一閾値１１が再び設定されるようになっている。また検出値が約１０分間の間に再び検出された場合は、室内に花粉が検出されたものとして前記送風ファン５は強運転が継続されるようになっている。
【００１６】
上記したように、前記閾値設定部１０に、微小な花粉の量を検出できる前記第一閾値１１と、電気的なノイズの影響を極力排除できる前記第二閾値１２とを夫々設定できるようにし、前記第一閾値１１を越える検出値がある場合は、その検出数をカウントして電気的なノイズであるか、花粉の検出であるかを判定することにより、従来の空気清浄機において検出できなかった花粉を的確に検出して空気清浄運転を行うことができる。
【００１７】
【発明の効果】
以上説明したように、本発明によると、制御部に、操作部と表示部と粉塵センサとファンモータを駆動する駆動部とを接続するとともに、適正な検出回数の頻度と、適正な検出持続時間を設定した粉塵データ記憶部と、第一閾値と、同第一閾値より高く設定された第二閾値とを夫々設けた閾値設定部と、検出値を前記第一閾値あるいは前記第二閾値と比較し、これら閾値を越える検出数をカウントして、前記粉塵データ記憶部に記憶された値と比較するデータ比較部とを夫々接続することにより、電気的なノイズの影響を極力排除して、微小な量の花粉を検出し、送風ファンの運転を切換えることのできる空気清浄機となる。
【図面の簡単な説明】
【図１】（Ａ）は空気清浄機を示す外観斜視図である。
（Ｂ）はその断面図である。
【図２】図２は制御装置を示す要部ブロック図である。
【図３】図３は制御手順を示すフローチャートである。
【図４】（Ａ）は従来の空気清浄機に設けられた制御装置の一例を示すブロック図である。
（Ｂ）はその制御手順を示すフローチャートである。
【符号の説明】
１  吸込口
２  吹出口
３  表示部
４  フィルタ
５  送風ファン
６  ファンモータ
７  制御部
８  操作部
９  粉塵センサ
１０  閾値設定部
１１  第一閾値
１２  第二閾値
１３  データ比較部
１４  粉塵データ記憶部
１５  駆動部
１６  未検出持続時間
【図１】
0003849503.tif 000002
【図２】
0003849503.tif 000003
【図３】
0003849503.tif 000004
【図４】
0003849503.tif 000005